(57)【要約】【課題】内視鏡用フードを通した内視鏡の視野を良好にすることが可能な内視鏡用フード、および内視鏡用フードを備えるフード付き内視鏡を提供する。【解決手段】内視鏡用フード１０は、内視鏡１００の先端部１１０に装着される筒状の装着部４０と、装着部４０の先端側に連接された筒状のフード本体部５０と、を有する。フード本体部５０の表面は微細な凹凸が形成されている。【選択図】図３
2016187535.tif 000002
【特許請求の範囲】
【請求項１】
内視鏡の先端部に装着される筒状の装着部と、前記装着部の先端側に連接された筒状のフード本体部と、を有する内視鏡用フードであって、
当該内視鏡用フードの表面に微細な凹凸が形成されている内視鏡用フード。
【請求項２】
前記微細な凹凸における凸部どうしの間隔周期または凹部どうしの間隔周期は１０ｎｍ以上１０５ｎｍ以下である請求項１に記載の内視鏡用フード。
【請求項３】
前記微細な凹凸における凸部どうしの前記間隔周期または凹部どうしの前記間隔周期は２０００ｎｍ以下である請求項２に記載の内視鏡用フード。
【請求項４】
当該内視鏡用フードの内周面には、前記装着部に挿入された前記内視鏡の先端が突き当たる段差であるストッパ部が形成され、
前記フード本体部の内周面における前記ストッパ部よりも先端側に、前記微細な凹凸が形成されている請求項１から３のいずれか一項に記載の内視鏡用フード。
【請求項５】
前記フード本体部の内周面において前記微細な凹凸が形成された範囲が前記フード本体部の先端まで達している請求項４に記載の内視鏡用フード。
【請求項６】
当該内視鏡用フードの表面の少なくとも一部分には親水性処理が施されており、当該親水性処理が施されている当該内視鏡用フードの表面に前記微細な凹凸が形成されている請求項１から５のいずれか一項に記載の内視鏡用フード。
【請求項７】
当該内視鏡用フードの表面の少なくとも一部分には撥水性処理が施されており、当該撥水性処理が施されている当該内視鏡用フードの表面に前記微細な凹凸が形成されている請求項１から５のいずれか一項に記載の内視鏡用フード。
【請求項８】
当該内視鏡用フードの表面の少なくとも一部分には親油性処理が施されており、当該親油性処理が施されている当該内視鏡用フードの表面に前記微細な凹凸が形成されている請求項１から５のいずれか一項に記載の内視鏡用フード。
【請求項９】
当該内視鏡用フードには、当該内視鏡用フードを厚さ方向に貫通する排液孔が形成され、
前記フード本体部の内周面および前記排液孔の内周壁面に前記微細な凹凸が形成されている請求項１から８のいずれか一項に記載の内視鏡用フード。
【請求項１０】
当該内視鏡用フードの外周面または内周面には、前記排液孔に繋がっている排液溝が形成され、
前記排液溝の内面に前記微細な凹凸が更に形成されている請求項９に記載の内視鏡用フード。
【請求項１１】
当該内視鏡用フードの外周面は、前記微細な凹凸よりも平滑に形成されている請求項１から１０のいずれか一項に記載の内視鏡用フード。
【請求項１２】
前記微細な凹凸における凸部は先細形状に形成されている請求項１から１１のいずれか一項に記載の内視鏡用フード。
【請求項１３】
請求項１から１２のいずれか一項に記載の内視鏡用フードと、前記内視鏡と、を備えるフード付き内視鏡。
【発明の詳細な説明】
【技術分野】
【０００１】
本発明は、内視鏡の先端部に装着して用いられる内視鏡用フード、および内視鏡用フードが装着されたフード付き内視鏡に関する。
【背景技術】
【０００２】
消化管等の体腔内の粘膜組織を、その下層の筋組織から切除する内視鏡的粘膜切除術（ＥＭＲ）が実施されている。内視鏡には複数の通孔（チャンネル）が長手方向に貫通して形成されており、一般に最も大きな内径を有する通孔である鉗子孔に高周波メスなどの長尺の処置具を挿入し、内視鏡の基端側で処置具を操作して粘膜組織を剥離し切除（以下、剥離切除ということがある）する。その中でも広範囲の粘膜を一度に剥離切除する内視鏡的粘膜下層切除術（ＥＳＤ）では、剥離切除される途中の粘膜が筋層に覆い被さった状態となるため、内視鏡における良好な視野を確保することが困難な状況下で粘膜下層を切除する必要があり、手技の難易度が高い。
【０００３】
このような事情に鑑み、内視鏡的粘膜下層切除術等において、内視鏡の先端に内視鏡用フード（以下、単に「フード」ということがある）を装着することにより、内視鏡が備える対物レンズなどの観察光学系の視野を確保することが提案されている。
フードが装着された内視鏡を用いる場合、切除される粘膜の下にフードを潜り込ませて粘膜を押し上げることにより、内視鏡の観察光学系の視野が確保される。
ここで、切除部位から出た体液（血液、リンパ液、組織液など）や切除部位に向けて内視鏡から噴射した水が対物レンズに付着すると、視野が損なわれてしまう。そこで、対物レンズに向かって洗浄液を噴射して該対物レンズを洗浄するために、内視鏡の先端には送水用のノズルが設けられる場合がある。
【０００４】
上記体液や上記洗浄液（以下、これらの液体を総称して単に液体という場合がある）は、フード内に溜まって切除手技の妨げの原因となり、または対物レンズに付着して内視鏡における視界を不良とする原因となり得る。
【０００５】
これに対し特許文献１には、液体が通過可能な排液孔または排液用の切欠が壁部に形成されたフードを備える内視鏡が提案されている。
【先行技術文献】
【特許文献】
【０００６】
【特許文献１】実開昭５６−７５９１２号公報
【発明の概要】
【発明が解決しようとする課題】
【０００７】
しかしながら、特許文献１の技術では、フード内の液体の排液性が必ずしも十分でなく、フード内に液溜まりが生じるなどして内視鏡の良好な視野を確保することが困難である。
また、切除部位から流れ出た体液は粘性が高く流動性が低いため、フードの内面に付着しやすく、このことからも内視鏡の良好な視野を確保することが困難である。
更に、フード内面等に付着した液体などに光が反射することによっても視野の不良を招きやすい。
【０００８】
本発明は上述のような課題に鑑みてなされたものであり、内視鏡用フードを通した内視鏡の視野を良好にすることが可能な内視鏡用フード、およびフード付き内視鏡を提供するものである。
【課題を解決するための手段】
【０００９】
本発明によれば、内視鏡の先端部に装着される筒状の装着部と、前記装着部の先端側に連接された筒状のフード本体部と、を有する内視鏡用フードであって、当該内視鏡用フードの表面に微細な凹凸が形成されている内視鏡用フードが提供される。
【００１０】
また、本発明によれば、上記の内視鏡用フードと、前記内視鏡と、を備えるフード付き内視鏡が提供される。
【発明の効果】
【００１１】
本発明の内視鏡用フードおよびフード付き内視鏡によれば、内視鏡用フードを通した内視鏡の視野を良好にすることが可能である。
【図面の簡単な説明】
【００１２】
【図１】実施形態に係るフード付き内視鏡を示す平面図である。
【図２】実施形態に係るフード付き内視鏡の正面図である。
【図３】図１のIII−III線縦断面図であり、粘膜組織を吸着している状態を示す。
【図４】微細な凹凸による作用を説明するための模式図である。
【図５】微細な凹凸の一例を示す模式的な斜視図である。
【図６】微細な凹凸の他の一例を示す模式的な斜視図である。
【発明を実施するための形態】
【００１３】
以下、本発明の実施形態を図面に基づいて説明する。尚、すべての図面において、同様の構成要素には同一の符号を付し、重複する説明は適宜に省略する。
【００１４】
本明細書では、内視鏡の操作者側に近い側が基端、当該操作者から遠い側が先端であるものとして説明を行う。また、基端側から先端側へ向かう方向または先端側から基端側へ向かう方向を、先基端方向という場合がある。
また本明細書では、内周面または外周面という言葉を用いる場合がある。特段の説明がない場合には、上記内周面は内視鏡用フード１０（以下、単にフード１０という場合がある）において、当該フード１０の軸心側の面を意味し、上記外周面は、フード１０において内周面に対する裏側の面を意味する。
【００１５】
＜第一実施形態＞
図１は、本実施形態に係るフード付き内視鏡２００を示す平面図である。図２は、フード付き内視鏡２００の正面図である。図３は、図１のIII−III線縦断面図であり、粘膜組織ＴＳをフード１０のフード本体部５０の先端開口３０に吸着している状態を示す図である。図4は、微細な凹凸による作用を説明するための模式図である。図５は、微細な凹凸の一例を示す模式的な斜視図である。図６は、微細な凹凸の他の一例を示す模式的な斜視図である。
【００１６】
なお、本実施形態を説明するにあたり、フード本体部５０の内部空間Ｖに流入した体液や洗浄ノズル１０７から噴射された洗浄液を総称して単に液体という場合がある。洗浄液としては生理食塩水などの水性の液体を用いることができる。
【００１７】
図１から図３に示すように、フード１０は、内視鏡１００の先端部１１０に装着される筒状の装着部４０と、装着部４０の先端側に連接された筒状のフード本体部５０と、を有している。
そして、フード１０の表面に微細（微小な）な凹凸（一例として、図５または図６に示す凹凸構造９０を参照）が形成されている。
【００１８】
微細な凹凸は、フード１０の表面の全面に形成されていても良いし、フード１０の表面の一部分にのみ形成されていても良い。微細な凹凸は、フード１０の内周面３１と外周面３２との双方に形成されていても良いし、内周面３１と外周面３２とのうちの何れか一方にのみ形成されていても良い。
また、微細な凹凸は、フード本体部５０の表面と装着部４０の表面との双方に形成されていても良いし、フード本体部５０の表面と装着部４０の表面とのうちの何れか一方にのみ形成されていても良い。
微細な凹凸は、フード本体部５０の表面に形成されていることが好ましい。この場合に、微細な凹凸は、フード本体部５０の全面に形成されていても良いし、フード本体部５０の内周面３１ａと外周面との双方に形成されていても良いし、フード本体部５０の内周面３１ａと外周面とのうち何れか一方にのみ形成されていても良い。
微細な凹凸は、少なくともフード本体部５０の内周面３１ａに形成されていることが好ましい。この場合に、微細な凹凸は、内周面３１ａの全面に形成されていても良いし、内周面３１ａの一部に部分的に形成されていても良い。
また、この微細な凹凸は、フード１０の表面のうち、内周面３１および外周面３２以外の部分（例えば、後述する排液孔６０の内周壁面６１、排液溝７０の内面、フード１０の先端面など）にも形成されていても良い。例えば、フード本体部５０の内周面３１ａおよび排液孔６０の内周壁面６１に微細な凹凸が形成されている構造を採用することができる。
【００１９】
フード１０の外周面３２は、食道粘膜や胃壁等の体腔壁面との摩擦を抑制する観点からは低摩擦であることが好ましい。低摩擦にする手段としては、平滑な表面を形成してもよいし、潤滑性表面や親水性表面にしてもよい。低摩擦にする手段として平滑表面を選んだ場合、後述する第一排液溝７０ａの内部に微細な凹凸を形成するように、フード１０の外周面３２にも微細な凹凸が形成されていても良い。また、外周面３２における第一排液溝７０ａの内部以外の箇所、すなわち外周面３２の表面にも、必要により微細な凹凸が形成されていても良い。
【００２０】
微細な凹凸は、周期的に配置された多数の凸部８１（図５、図６参照）または多数の凹部８２（図６参照）のうちの少なくともいずれか一方を含んでいる。微細な凹凸の形成範囲は、二次元的な広がりを持つ。
【００２１】
この微細な凹凸は、以下の４つの作用のうちの少なくともいずれか１つの作用を奏する。
（１）フード１０の表面における親水性を向上させる作用
（２）フード１０の表面における撥水性を向上させる作用
（３）フード１０の表面における親油性を向上させる作用
（４）フード１０の表面における光の反射を抑制する作用
【００２２】
上述の作用（１）について
フード１０の表面の少なくとも一部分が親水性であり、当該親水性の表面に微細な凹凸が形成されている場合、この微細な凹凸の存在により、フード１０の表面における親水性が向上する。例えば、フード１０の表面の少なくとも一部分には親水性処理が施されており、当該親水性処理が施されているフード１０の表面に微細な凹凸が形成されている場合などが該当する。
この場合、フード１０の表面に付着した洗浄液などの水性の液体の流動性が向上するため、フード１０からの液体の排出をスムーズに行うことが可能となる。このため、フード１０内における液体の滞留を抑制でき、フード１０を通した内視鏡１００の視野を良好にすることが可能である。
なお、フード１０の外周面３２にのみ微細な凹凸が形成されている場合でも、外周面３２における液体の滞留を抑制できることにより、フード１０内から外部への液体の排出が妨げられてしまうことが抑制されるため、結果的に、フード１０内における液体の滞留を抑制できる。
また、フード１０の表面に付着した水性の液体が容易に濡れ広がって薄い膜となり、水滴の形成が抑制される。このため、水滴の表面における光の反射を抑制できるので、このことからも、フード１０を通した視野を良好にすることができる。特に、フード１０が透明（可視光透過性）である場合、水滴がフード１０の壁を通した視野の妨げとなってしまうことを好適に抑制できる。
また、フード１０の表面の濡れ性が向上することで、被験者の切除部位から漏出したり電気メスの使用時に切除部位から飛散したりした、タンパク質や脂肪分を含む油性液体を洗浄水により良好に洗い流すことができる。
【００２３】
上述の作用（２）について
フード１０の表面の少なくとも一部分が撥水性であり、当該撥水性の表面に微細な凹凸が形成されている場合、この微細な凹凸の存在により、フード１０の表面における撥水性が向上する。例えば、フード１０の表面の少なくとも一部分には撥水性処理が施されており、当該撥水性処理が施されているフード１０の表面に微細な凹凸が形成されている場合などが該当する。この場合、洗浄液などの水性の液体が当該表面で濡れ広がらず水滴となるため、エアブローや吸引により容易に除去することができる。
この場合も、フード１０の外周面３２にのみ微細な凹凸が形成されている場合でも、外周面３２における液体の滞留を抑制できることにより、フード１０内から外部への液体の排出が妨げられてしまうことが抑制されるため、結果的に、フード１０内における液体の滞留を抑制できる。
なお、油性液体は一般に水に比べて表面張力が小さく、撥水性処理が施された表面でも油滴にはならず膜状に濡れ広がりやすい。油性液体としては、上述したタンパク質や脂肪分を含む生体由来の液体が挙げられる。したがって、フード１０の撥水性の表面に微細な凹凸を形成することで、タンパク質や脂肪分を含む油性液体がフード１０の表面に容易に濡れ広がって薄い膜となるので、油性液体の液滴（油滴）の形成が抑制される。このため、油性液体により形成される液滴の表面における光の反射を抑制できるので、フード１０を通した内視鏡１００の視野を良好にすることができる。特に、フード１０が透明である場合、油滴がフード１０の壁を通した視野の妨げとなってしまうことを好適に抑制できる。
【００２４】
上述の作用（３）について
フード１０の表面の少なくとも一部分が親油性であり、当該親油性の表面に微細な凹凸が形成されている場合、この微細な凹凸の存在により、フード１０の表面における親油性が向上する。例えば、フード１０の表面の少なくとも一部分には親油性処理が施されており、当該親油性処理が施されているフード１０の表面に微細な凹凸が形成されている場合などが該当する。
この場合も、フード１０の表面が撥水性である（例えば撥水性処理が施されている）場合と同様の効果が得られる。
【００２５】
微細な凹凸における凸部８１どうしの間隔周期ｓ（図４から図６参照）または凹部８２どうしの間隔周期は、例えば、１０ｎｍ以上１０５ｎｍ（１００μｍ）以下であることが好ましく、これにより、上述の（１）〜（３）の作用を好適に得ることができる。
【００２６】
上述の作用（４）について
また、微細な凹凸における凸部８１どうしの間隔周期ｓが、可視光の波長の数倍程度以下である場合、微細な凹凸における可視光の反射が抑制される。
よって、フード１０を通した内視鏡１００の視野を良好にすることができる。特に、フード１０が可視光透過性（透明）である場合、反射光がフード１０の壁を通した視野の妨げとなってしまうことを好適に抑制できる。
このような構成は、微細な凹凸における凸部８１どうしの間隔周期ｓまたは凹部８２どうしの間隔周期を２０００ｎｍ以下とすることにより好適に実現することができる。また、間隔周期を５００ｎｍ以下とすることにより更に良好に微細な凹凸における光の反射を抑制することができる。
また、間隔周期は、可視光の波長以下のサイズであることが更に好ましい。このため、微細な凹凸における凸部８１どうしの間隔周期ｓまたは凹部８２どうしの間隔周期は、３００ｎｍ以下とすることが好ましい。
【００２７】
ここで、微細な凹凸が形成されている表面において上記（１）〜（３）の作用が得られるメカニズムを説明する。
【００２８】
図４は、微細な凹凸による作用を説明するための模式図である。
図４に示すように、複数の凸部８１と凹部８２とが一定周期で交互に形成されることにより構成された凹凸構造９０を有する表面に、液滴８３が付着した状態を考える。
ウェンゼル（Ｗｅｎｚｅｌ）の式より、微細な凹凸が形成されている表面に対する液滴８３の接触角θｗは、ｃｏｓθｗ＝γｃｏｓθｙにより近似できる。
ここで、θｙは、凹凸が形成されていない平坦な表面に対する液滴８３の接触角である。また、係数γは、実面積係数、すなわち、（微細な凹凸が形成されている場合の実際の表面積／表面が平坦な場合の表面積）である。
凸部８１の間隔周期および凹部８２の間隔周期がｓ、凸部８１の高さ（凹部８２の深さ）がｈであるものとすると、γ＝（ｓ＋ｈ）／ｓである。
表面に凹凸が形成されているため、係数γは、１よりも大きな値となる。このため、ｃｏｓθｙが正（θｙ＜９０°）である場合は、ｃｏｓθｗはｃｏｓθｙよりも更に絶対値が大きな正の値となり、ｃｏｓθｙが負（θｙ＞９０°）である場合は、ｃｏｓθｗはｃｏｓθｙよりも更に絶対値が大きな負の値となる。
つまり、微細な凹凸を形成することにより、元々の親水性、疎水性あるいは親油性を強調することができる。
また、微細な凹凸を形成することによる表面積の増加率（係数γ）を大きくするほど、親水性、疎水性あるいは親油性を更に強調することができる。
【００２９】
ここで、微細な凹凸の形状の例を説明する。
【００３０】
図５および図６は、微細な凹凸を含む凹凸構造９０の例を示す模式的な斜視図である。
凹凸構造９０としては、図５に示されるモスアイ構造や、図６に示されるライン・アンド・スペース構造が挙げられる。
【００３１】
図５に示すように、モスアイ構造は、各々が先細の柱状突起である複数の凸部８１が二次元的に配列されてなる。すなわち、モスアイ構造の場合、微細な凹凸における凸部８１は先細形状に形成されている。各凸部８１は放物線テーパー状であり、凸部８１の縮径の度合いは、その基端から先端に向けて一定ではなく、各凸部８１の基端から先端に向けて増大している。すなわち、各凸部８１は、砲弾型に形成されている。
ここで、フード１０が透明である場合に、その平坦な表面に対して光が入射するときには、空気とフード１０との界面において急激に屈折率が変化するため、光の一部が反射する。
一方、モスアイ構造が形成された表面の凸部８１に対して光が入射するときには、空気と凸部８１との界面において屈折率が緩やかに変化するかのように光が挙動するため、光の反射が抑制される。すなわち、上記（４）の効果を好適に得ることができる。
一例として、凸部８１の高さｈを５０ｎｍ以上５００ｎｍ以下程度、凸部８１どうしの間隔周期ｓを凸部８１の高さｈよりも大きくかつ５０ｎｍ以上２０００ｎｍ以下程度とすることが挙げられる。
【００３２】
図６に示すように、ライン・アンド・スペース構造は、互いに平行に延在する複数の長尺な凸部８１（突条）と、互いに平行に延在する複数の長尺な凹部８２（凹溝）と、を交互に有する。
一例として、凸部８１の高さｈを５０ｎｍ以上５００ｎｍ以下程度、間隔周期ｓを２０００ｎｍ以下程度とすることが挙げられる。
ライン・アンド・スペース構造の凹凸構造９０の場合も、凸部８１を先細形状に形成するとよい。言い換えると、長尺な凸部８１は、高さ方向に向かって幅寸法が徐々に減少する形状であってもよい。これにより、上述したモスアイ構造と同様に、空気とフード１０との界面における屈折率の変化を低減することができる。
【００３３】
その他の凹凸構造の例としては、図示は省略するが、略半球状などの突起である複数の凸部が二元的に配列されてなるドット構造、円柱状などの突起である複数の凸部が二次元的に配列されてなるナノピラー構造、略円柱状などの凹部が二次元的に配列されてなる構造、格子状に溝が形成されてなる構造（つまり、四角柱状の突起である複数の凸部が二次元的に配列されてなる構造）などが挙げられる。
このうち、ドット構造では、直径１００ｎｍ以上１０００ｎｍ以下程度の略半球状や略立方体状の凸部を、２０００ｎｍ以下程度の間隔周期で形成することが挙げられる。
また、ナノピラー構造では、直径１００ｎｍ以上１０００ｎｍ以下程度、高さ１００ｎｍ以上１０００ｎｍ以下程度の柱状の凸部を、２０００ｎｍ以下程度の間隔周期で形成することが挙げられる。
また、凹部が二次元的に配列されてなる構造では、直径１００ｎｍ以上５００ｎｍ以下、深さ１００ｎｍ以上１０００ｎｍ以下程度の凹部を、２０００ｎｍ以下程度の間隔周期で形成することが挙げられる。
また、格子状に溝が形成されてなる構造では、高さ５０ｎｍ以上５００ｎｍ以下程度の凹溝を、２０００ｎｍ以下程度の間隔周期で形成することが挙げられる。
【００３４】
更にその他の凹凸構造の例としては、第１凸部の表面に、第１凸部よりも小さい複数の第２凸部が形成された構造が挙げられる。第１凸部の形状は、例えば、鈍頭の円柱状とすることができる。第１凸部の直径は、例えば、５μｍ以上２０μｍ以下とすることができる。第１凸部の高さは、例えば、５μｍ以上３０μｍ以下とすることができる。第２凸部の形状は、例えば、円柱状とすることができる。第２凸部の直径は、例えば、第１凸部の直径の１０分の１以下とすることができ、例えば、０．５μｍ以上２μｍ以下とすることができる。第２凸部の高さは、例えば、第１凸部の高さの１０分の１以下とすることができ、例えば、１μｍ以上１０μｍ以下とすることができる。このような複合構造を用いることにより、極めて良好な撥水性を得ることができる。
【００３５】
次に、微細な凹凸を含む凹凸構造９０の形成方法の例を説明する。
【００３６】
凹凸構造９０の形成方法としては、例えば、フード１０の成形に用いられる射出成形金型の表面に凹凸パターンを形成しておき、射出成形時にこの凹凸パターンをフード１０の表面に転写する方式（以下、１ステップ方式という）が挙げられる。
凹凸構造の形成方法の他の例としては、フード１０を射出成形などにより成形した後、フード１０を軟化温度まで加熱した状態で、フード１０の表面に凹凸パターンを押し付けることによって、この凹凸パターンをフード１０の表面に転写する方式（以下、２ステップ方式という）が挙げられる。
なお、これらの凹凸パターンは、フード１０に形成される凹凸構造を反転させた形状の反転パターンとする。
【００３７】
上記の１ステップ方式では、例えば、ポリエーテルサルフォン（ＰＥＳ）などの、耐熱性かつ高温時の剛性が高い合成樹脂材料により形成されたシートの表面に、レーザー加工により微細な凹凸パターンを形成し、このシートを射出成形金型の表面に貼り付けておく。あるいは、平坦なシリコン基板等の基板の表面にフォトリソグラフィーにより微細な凹凸を形成し、その基板からＰＥＳ等のシートに凹凸を転写させ、そのシートを射出成形金型の表面に貼り付けておく。ここで、射出成形金型を構成する金型のうち、フード１０の内周面３１を形成する金型は、丸棒状であり、この金型の周囲に、シートを貼り付け（巻き付け）る。
ここで、シートにおける凹凸パターン形成面が、射出成形されるフード１０の内周面３１（特にフード本体部５０の内周面３１ａ）に接するよう、凹凸パターン形成面が外向きとなるようにしてシートを金型に巻き付ける。
そして、この金型を含む射出成形金型を用いて、射出成形によりフード１０を形成する。
あるいは、射出成形金型の表面に対し、フォトリソグラフィー又はレーザー加工により直接微細な凹凸を形成し、その射出成形金型をフード１０の成形に用いることにより、凹凸をフード１０に転写しても良い。
【００３８】
また、上記の２ステップ方式では、例えば、平坦な半導体基板（シリコン基板等）にフォトリソグラフィー法またはレーザー加工などにより微細な凹凸パターンを形成し、このパターン基板を、凹凸パターンが外面に露出するようにして治具に固定しておく。治具は、パターン基板をフード１０内に差し込んだ状態で、該基板を保持できる形状のものである。
一方、通常の射出成形法でフード１０を成形し、これを冷却して射出成形金型から取り外す。
その後、フード１０を構成する樹脂（熱可塑性樹脂）を軟化温度まで再び加熱した状態（ただし、溶融するには至らない状態）で、パターン基板にフード１０の内周面（フード本体部５０の内周面３１ａ）を押し付けて凹凸パターンを転写する。フード１０を回転させたり軸方向に進退させたりすることにより、パターン基板の押し付け位置を変更し、所望の領域の全域（例えば、内周面３１ａの全面など）に凹凸パターンを形成する。
その後、フード１０を冷却し、再び硬化させる。
【００３９】
また、１ステップ方式の別態様として、２ステップ方式のパターン基板を用いて、射出成形金型の表面に凹凸パターンを転写する方式を採用しても良い。シリコン製のパターン基板は、射出成形金型を構成するアルミニウム等の金属よりも硬度が高いため、当該金型の表面に凹凸パターンを転写することができる。
具体的には、まず、シリコン基板に凹凸パターンを形成する。ここで、凹凸パターンは反転パターンではなく、正パターンとする。
次に、シリコン基板の凹凸パターン形成面上で、フード１０の内周面３１を形成する丸棒状の金型を押圧した状態で転動させることにより、凹凸パターンを当該金型の表面に転写する。
その後、この金型を含む射出成形金型を用いて、射出成形によりフード１０を形成する。
【００４０】
以下、フード１０の詳細を説明する。
【００４１】
フード１０は、その全体が筒状に形成されており、当該フード１０における基端側の部分を構成する装着部４０と、当該フード１０における先端側の部分を構成するフード本体部５０と、を有する。
フード１０の基端側における開口を基端開口２０と称し、先端側における開口を先端開口３０と称する。
なお、フード１０の長軸方向における寸法（長さ）と径方向の寸法（太さ）との大小関係は、どちらが大きくても良い。
【００４２】
本実施形態ではフード本体部５０および装着部４０は同種の材料を用いて一体成形されている。
フード本体部５０および装着部４０は、例えば、軟質樹脂材料により構成されている。軟質樹脂材料としては、スチレン系エラストマー、シリコーンゴム、ポリウレタンまたはポリ塩化ビニル等を例示することができるが、これに限定されない。軟質樹脂材料の硬度は特に限定されず、体組織にフード１０が当接した際に、体組織を傷つけず、かつ、切除手技中に観察光学系の視野を確保可能な程度の硬さを示すものが適宜選択される。特に、排液溝７０を有するフード１０に関し、生体組織に当接されたフード１０が、切除手技中に良好に形状を保持するという観点からは、たとえば、デュロメーター硬度Ａ２５度以上Ａ６５度以下であることが好ましく、Ａ４０度以上Ａ５０度以下であることがより好ましい。
【００４３】
ただし、フード本体部５０および装着部４０は、硬質樹脂材料により一体成形されていても良い。硬質樹脂材料としては、例えば、ポリスチレン、ポリカーボネート、アクリロニトリルブタジエンスチレン、ポリ塩化ビニル等が挙げられるが、透明性、耐薬品性および耐熱性の理由からポリカーボネートを用いるのが好ましい。
【００４４】
これらの軟質樹脂材料や硬質樹脂材料の表面には、親水性処理、撥水性処理または親油性処理を施してもよい。
【００４５】
そして、表面が親水性の樹脂材料で構成されたフード１０の表面に対する水滴の接触角は９０°未満となる。したがって、親水性の樹脂材料により構成されたフード１０の表面に微細な凹凸が形成されていることにより、その表面はより親水性になる。
一方、表面が撥水性または親油性の樹脂材料で構成されたフード１０の表面に対する水滴の接触角は９０°よりも大きくなる。したがって、撥水性または親油性の樹脂材料により構成されたフード１０の表面に微細な凹凸が形成されていることにより、その表面はより撥水性または親油性になる。
【００４６】
装着部４０およびフード本体部５０は、例えば、それぞれ略円筒状に形成されている。
ここで、円筒状とは、筒状体であって、断面が円状、楕円状、または長円状である場合を含む。当該筒状体の断面形状は、当該筒状体の軸方向における両端間に亘って一定の形状であっても良いし、軸方向における位置に応じて異なる形状となっていても良い。
【００４７】
フード１０の表面のうち、フード本体部５０の少なくとも内周面３１ａには、親水性処理、撥水性処理、または親油性処理が施されていることが好ましい。
これにより、上述した（１）〜（３）の効果をより好適に得ることができる。
このため、フード本体部５０の内部に進入した水や体液等が先端開口３０および後述する排液孔６０から容易に排出されて内視鏡１００の視野を効果的に確保することができる。
本実施形態のフード１０では、排液孔６０の内周壁面６１にも、親水性処理、撥水性処理、または親油性処理が施されていることが好ましい。これにより、排液孔６０を通じて水や体液を容易に排出することができる。
また、後述する排液溝７０にも、親水性処理、撥水性処理、または親油性処理が施されていることが好ましい。これにより、排液溝７０に沿って水や体液を誘導し、これらを容易に排出することができる。
【００４８】
親水性処理は特に限定されないが、例えば、スパッタリングまたは蒸着等の気相法による製膜、ディッピングコーティング、スピンコーティング等の液相法による製膜、親水膜の基となる薬剤を布、脱脂綿等により塗布する製膜、表面の水酸基化を行うプラズマ処理等の方法等を用いることができる。
【００４９】
撥水性処理は特に限定されないが、例えば、シランカップリング剤などの有機金属化合物の処理やアルキル基の化学結合、フッ素化合物を化学吸着させるプラズマ処理等を用いることができる。
【００５０】
親油性処理は特に限定されないが、例えば、シランカップリング剤などの有機金属化合物の処理やアルキル基の化学結合等を用いることができる。
【００５１】
装着部４０に対し内視鏡１００の先端部１１０が差し込まれる（挿入される）ことにより、内視鏡１００に装着部４０が装着され、ひいてはフード１０全体が内視鏡１００に装着される。これにより、フード付き内視鏡２００が構成される。
すなわち、本実施形態に係るフード付き内視鏡２００は、本実施形態に係るフード１０と、内視鏡１００と、を備える。
【００５２】
装着部４０の内径は内視鏡１００の先端部１１０の外径と同じであるか、または僅かに小さく形成されている。装着部４０の内径が内視鏡１００の先端部１１０の外径より小さい場合、挿入された先端部１１０により装着部４０の内径が押し広げられ、装着部４０の内周が先端部１１０の外周に対し良好に密着し得る。またフード本体部５０の内径は内視鏡１００の先端部１１０の外径よりも小さい。このため、内視鏡１００を装着部４０に深く挿入していくと、図３に示すように先端部１１０がストッパ部２４（後述）に突き当たる。
【００５３】
内視鏡１００にフード１０が装着された状態で、装着部４０の長軸方向（図３に一点鎖線で示される軸心ＡＸ１）は、内視鏡１００の長軸方向と略一致している。
図３に示すフード１０の縦断面は、フード１０を装着部４０の長軸方向に沿って切断した断面である。
【００５４】
本実施形態の場合、装着部４０の軸心ＡＸ１とフード本体部５０の軸心ＡＸ２とは互いに交差している。
ここで、軸心ＡＸ１に対して直交する平面（直交平面という）と、フード本体部５０の内周面３１ａと、の交わりにより形成される略円形状の環の重心を考える。直交平面を軸心ＡＸ１の方向に徐々に移動させたときの当該重心の軌跡を直線で近似したものが軸心ＡＸ２である。
ただし本発明はこれに限らず、装着部４０とフード本体部５０とが同軸上に配置されていてもよい。すなわち、軸心ＡＸ１と軸心ＡＸ２とは互いに同一直線上に位置していても良い。
【００５５】
フード１０には、当該フード１０を厚さ方向に貫通する排液孔６０が形成されている。そして、排液孔６０の内周壁面６１にも微細な凹凸が形成されていることが好ましい。このようにすることにより、排液孔６０の内周壁面６１においても、上述の作用を得ることができる。
【００５６】
排液孔６０は、当該排液孔６０における内周面３１側の端部である内側開口５１と、当該排液孔６０におけるフード１０の外周面３２側の端部である外側開口５２とに亘ってフード１０の壁部を貫通している。
図３に示すように、例えば、内側開口５１は、装着部４０とフード本体部５０とに跨って配置されている。また、外側開口５２の少なくとも一部分は、装着部４０に配置されている。本実施形態の場合、例えば、外側開口５２も、装着部４０とフード本体部５０とに跨って配置されている。
排液孔６０を画定する排液孔６０の内周壁面６１は、例えば、軸心ＡＸ１に対し略垂直である。ただし、内周壁面６１は、軸心ＡＸ１に対し傾斜していてもよい。すなわち、内周壁面６１の深さ方向は、軸心ＡＸ１に対して直交する方向に限らず、適宜変更することができる。
【００５７】
図１に示すように、フード１０には、例えば、独立した１つの排液孔６０が形成されている。ただし、これに限定されず、フード１０には、互いに独立した（互いに連通していない）複数個の排液孔６０が形成されていても良い。
外側開口５２および内側開口５１の形状は特に限定されないが、例えば、円形、長円形、楕円形、角丸スリット状などの略長円形などとすることができる。また、複数個の排液孔６０が形成される場合には、各排液孔６０の内側開口５１および外側開口５２の寸法および形状は、互いに同じであっても良いし、互いに異なっていても良い。
【００５８】
フード１０には、更に、少なくとも１つの排液溝７０が形成されている。
排液溝７０は、フード１０の外周面３２または内周面３１ａに形成されており、当該排液溝７０の一端は排液孔６０に繋がっている。
排液溝７０は、フード１０の外周面３２またはフード本体部５０の内周面３１ａに沿って連続的に形成された有底の溝、または、無底の溝である。ここで、無底の溝とは、フード１０を厚み方向に貫通するスリットを意味する。
フード１０が軟質樹脂により構成されている場合、排液溝７０の長手方向における少なくとも一部分は、有底である有底領域として形成されていることが、フード１０の形状保持の観点から好ましい。
【００５９】
図１および図３に示すように、フード１０は、排液溝７０として、内視鏡用フード１０の外周面３２に形成された第一排液溝７０ａを有している。
第一排液溝７０ａは、排液孔６０から排出された液体を、外側開口５２の周囲に滞留させることなく第一排液溝７０ａの延在方向に誘導することが可能である。そのため、液体を、排液孔６０を介して内視鏡用フード１０の外側へスムーズに導出させ続けることが可能である。
【００６０】
第一排液溝７０ａは、その先端が排液孔６０に繋がっており、基端開口２０に向かって（つまり基端側に向けて）延びている。
これにより、排液孔６０から排出された液体の流れを、第一排液溝７０ａによって基端側に誘導することが可能であり、排出された当該液体が、フード１０の先端開口３０から、再度、フード１０の内部に侵入することが抑制される。
【００６１】
図１に示すとおり、第一排液溝７０ａの先端は、後述する幅縮小領域５５のＶ字状の頂点を含む領域に繋がっている。
これにより、幅縮小領域５５の基端部に集約された液体を、スムーズに幅縮小領域５５から第一排液溝７０ａ側に流動させることができるため、液体の排出がよりスムーズとなる。
【００６２】
また内視鏡用フード１０は、排液溝７０として、フード本体部５０の内周面３１ａに沿って設けられた第二排液溝７０ｂを有している（図１および図３参照）。例えば、第二排液溝７０ｂの基端は排液孔６０に繋がっており、第二排液溝７０ｂの先端は先端開口３０に達している。なお、第二排液溝７０ｂの先端は先端開口３０に達していなくても良い。
第二排液溝７０ｂは、フード本体部５０の内部に存在する液体を排液孔６０までスムーズに誘導する。
また、軸心ＡＸ２が先端側に向けて下り傾斜する姿勢でフード付き内視鏡２００を使用する際には、液体が第二排液溝７０ｂを伝ってフード本体部５０の内部から外部に排出される。
【００６３】
排液溝７０（第一排液溝７０ａおよび第二排液溝７０ｂ）の内面にも微細な凹凸が形成されていることが好ましく、このようにすることにより、排液溝７０においても上述の作用を得ることができる。
【００６４】
なお、第一排液溝７０ａおよび第二排液溝７０ｂが延在する方向および延在する範囲は、上記に限らない。
また、本実施形態は、第一排液溝７０ａおよび第二排液溝７０ｂのいずれかを有する態様、２以上の第一排液溝７０ａまたは２以上の第二排液溝７０ｂを有する態様、第一排液溝７０ａおよび第二排液溝７０ｂ以外の排液溝７０を有する態様を、包含する。
【００６５】
更に、フード１０の内周面３１には、例えば、装着部４０に挿入された内視鏡１００の先端が突き当たる段差であるストッパ部２４（図３参照）が形成されている。すなわち、ストッパ部２４は、装着部４０から境界部２５（後述）にかけて縮径する段差である。
この場合に、フード１０の内周面３１におけるストッパ部２４よりも先端側の部分に、上記の微細な凹凸が存在していることが好ましい。これにより、装着部４０に挿入された内視鏡１００の先端よりも先端側の内周面３１において、上述の作用を得ることができる。
【００６６】
ストッパ部２４は、装着部４０への内視鏡１００の挿入深さを規制するものである。ストッパ部２４によって挿入深さを規制された内視鏡１００の先端部１１０の周面１１２が内側開口５１を部分的に塞ぐように排液孔６０が配置されている。
【００６７】
ストッパ部２４は、フード１０の径方向の内側に向けて起立するとともに挿入された内視鏡１００の先端が突き当たる当接面２４ａを有している。基端開口２０から装着部４０に挿入された内視鏡１００は、その先端面が当接面２４ａに当接することによって、先端方向への更なる挿入が規制される。
図３に示すとおり、例えば、先基端方向における内側開口５１の中間位置（内側開口５１の先端と基端との間の位置）に当接面２４ａが配置されている。よって、内視鏡１００の先端部１１０の周面１１２により排液孔６０の内側開口５１の一部分（基端側の部分）が塞がれるようになっている。すなわち、内側開口５１には内視鏡１００の周面１１２が露出して配置される。
これにより、内側開口５１の実質的な開口面積が狭まることとなる。このため、毛管現象を発生させつつ、内視鏡１００の周面１１２の濡れ性を利用してフード本体部５０の内部空間Ｖに存在する液体を排液孔６０に導入することができる。
【００６８】
なお、装着部４０とフード本体部５０との間で縮径する本実施形態に代えて、フード１０の装着部４０とフード本体部５０との内周面３１は同径に形成されてもよい。そして、ストッパ部２４は、内周面３１から内向きに突出した突起（例えば環状の突起：リブ）であっても良い。上記の微細な凹凸における凸部の高さ（深さ）は、ストッパ部２４を構成する突起の高さよりも十分に小さく、具体的には１０分の１未満、好ましくは１００分の１未満である。
【００６９】
ストッパ部２４の構造としては、段差を含む構造の他、内視鏡１００と係合してフード１０に対する内視鏡１００の挿入深さを規制可能な構造を広く採用することができる。具体的には、たとえば、先基端方向の中間位置において、フード１０の内径が、先端部１１０の外径よりも小さくなるよう、フード１０の内径が基端方向から先端方向に向けて連続的に縮径していて、ストッパ部２４を構成していても良い。
【００７０】
また、上記の微細な凹凸が形成された範囲は、フード本体部５０の内周面３１ａにおいてフード本体部５０の先端まで達していることが好ましい。これにより、フード本体部５０の先端部の表面においても、上述の作用を得ることができる。
【００７１】
ここで、フード１０における装着部４０とフード本体部５０との中間部を境界部２５と呼称する。本実施形態において、境界部２５は、フード１０の内周面３１のストッパ部２４と、フード１０の外周面３２のスロープ部２６（後述）とを含む領域である。なお、境界部２５と装着部４０、または境界部２５とフード本体部５０とは必ずしも明確に区分けされている必要はない。
【００７２】
スロープ部２６は、基端側の装着部４０から先端側のフード本体部５０にかけてフード１０の外径が拡大する形状に形成されている。
【００７３】
図２はフード本体部５０の軸心ＡＸ２の方向から見たフード付き内視鏡２００の正面図である。
図２に示すとおり、内視鏡１００の先端部１１０には、洗浄ノズル１０７および観察光学系１０５が設けられている。フード１０の装着部４０は、観察光学系１０５が装着部４０の軸心ＡＸ１よりも内側開口５１寄りに位置する装着角度で内視鏡１００の先端部１１０に装着されている。観察光学系１０５と内側開口５１との位置関係は、内視鏡１００を正面側から観察することにより確認可能である。
【００７４】
内視鏡１００の先端面は、親水性処理が施されることなどにより親水性となっていることが好ましい。
また、内視鏡１００の先端部１１０の周面１１２も、親水性処理が施されることなどにより親水性となっていることが好ましい。
具体的な親水性処理は特に限定されないが、一例として、ポリビニルアルコール（ＰＶＡ）またはポリビニルピロリドン（ＰＶＰ）などの親水性材料で作成されたトップコート層を被膜形成することが挙げられる。
【００７５】
内視鏡１００の先端部１１０には、図２に示されるように、観察光学系１０５および洗浄ノズル１０７以外にも、一対の照明光学系１０６、処置具出口部１０８、および噴射孔１０９などが適宜設けられる。フード本体部５０の正面視において、観察光学系１０５、照明光学系１０６、処置具出口部１０８または噴射孔１０９の少なくともいずれかは、フード本体部５０の先端開口３０の内側に位置する。特に図２に示す本実施形態では、フード本体部５０の正面視において、観察光学系１０５、照明光学系１０６、洗浄ノズル１０７、処置具出口部１０８および噴射孔１０９の各々の全体が先端開口３０の内側に位置するが、本実施形態のフード付き内視鏡２００は、これに限定されない。
【００７６】
観察光学系１０５は、ＣＣＤ(Charge Coupled Device)カメラを含み、切除部位などの被写体を観察するものである。
なお、上述のように、微細な凹凸は、内周面３１ａの一部に部分的に形成されていても良いが、その場合、内周面３１ａのうち少なくとも観察光学系１０５の近傍位置には微細な凹凸が形成されていることが好ましい。これにより、内視鏡の良好な視野を得ることができる。例えば、図２に示すように観察光学系１０５が内視鏡１００の先端面の上部に配置されている場合、内周面３１ａの上部（例えば上半部）に微細な凹凸が形成されていることが好ましい。
【００７７】
照明光学系１０６は、内視鏡１００の光源スイッチ（図示せず）と接続されたライトガイド（図示せず）を含む。照明光学系１０６は、内視鏡１００の前方（先端側）に照明光を照射する。
【００７８】
洗浄ノズル１０７は、内視鏡１００の基端操作部（図示せず）と連通しており、基端操作部の操作により洗浄用の流体を噴射する。洗浄用の流体は、水などの液体（洗浄液）や、気体である。洗浄ノズル１０７は、気体および液体の双方を噴射しても良いし、気体または液体のいずれか一方を噴射しても良い。
洗浄ノズル１０７から洗浄用の流体を噴射することにより、内視鏡１００の先端部１１０、観察光学系１０５およびフード本体部５０の内周面３１ａなどに付着した汚れを取り除くことができる。したがって、フード本体部５０の内周面３１ａのうち、フード１０の正面視で、観察光学系１０５を基準として洗浄ノズル１０７の反対側に、微細な凹凸が形成されていることが好ましい。これにより、洗浄ノズル１０７から観察光学系１０５に向けて噴射された洗浄液が内周面３１ａに付着する部位において、上述した（１）〜（３）の効果を好適に得ることができる。
【００７９】
処置具出口部１０８は、内視鏡１００の内部に形成された鉗子孔１２０（図３参照）の先端開口である。
鉗子孔１２０は、内視鏡１００の長軸方向に沿って通孔形成されている。内視鏡１００の先端部１１０において、鉗子孔１２０はストッパ部２４に干渉しておらず、鉗子孔１２０の先端開口である処置具出口部１０８の全体がフード本体部５０の内部空間Ｖに露出している。
【００８０】
鉗子孔１２０には、高周波メスや注射針などの処置具（図示せず）が進退自在に挿入される。鉗子孔１２０に挿入された処置具が処置具出口部１０８から突出し、さらにフード１０の先端開口３０よりも前方に突出して生体組織を剥離し切除する。鉗子孔１２０の基端側は内視鏡本体の吸引機構（図示せず）と接続されており、処置具を挿入した状態で鉗子孔１２０の内部を負圧吸引することができる。これにより、洗浄ノズル１０７や噴射孔１０９から噴出された洗浄液や生体組織が切除された後の切除部位から滲出した体液を、処置具出口部１０８より吸引して排出することが可能である。
【００８１】
噴射孔１０９は、切除部位に向けて水などの液体を噴射する手段である。噴射孔１０９は内視鏡１００の基端側の噴射物供給口（図示せず）まで連通しており、ポンプなどの液体供給手段と接続されている。
【００８２】
このようなフード付き内視鏡２００においては、フード本体部５０の内部に存在する液体が排液孔６０から迅速に排出され得るので、排液孔６０寄りに配置された観察光学系１０５の視野が良好に確保される。
例えば、観察光学系１０５に付着した汚れを洗浄ノズル１０７から噴出される水などの洗浄液によって洗浄したとき、当該洗浄液を内側開口５１を介して外部にスムーズに排出することができる。
【００８３】
図２および図３に示すように、先端開口３０は、傾斜開口３０ａおよび垂直開口３０ｂを有している。傾斜開口３０ａおよび垂直開口３０ｂは、フード本体部５０の先端側の端面をそれぞれ構成するとともに、互いに交差している。
垂直開口３０ｂは、フード１０の先端側の端面の一部分であり、軸心ＡＸ１に対し略垂直に形成されている。
傾斜開口３０ａは、フード１０の先端側の端面の他の部分であり、垂直開口３０ｂに対して傾斜している。なお、排液孔６０は、軸心ＡＸ２を基準として、傾斜開口３０ａの中心とは反対側（図３における上方）に配置されている。
図２に示すように、フード本体部５０の正面視において、処置具出口部１０８の中心が傾斜開口３０ａの内側に位置する装着角度でフード１０を内視鏡１００に装着することが好ましい。これにより、処置具出口部１０８から先端側に突出する処置具の動作が、フード本体部５０に干渉を受けることを抑制できる。
【００８４】
図２に示すとおり、処置具出口部１０８に傾斜開口３０ａが対応する装着角度でフード１０を内視鏡１００に取り付けた場合に、洗浄ノズル１０７と観察光学系１０５との延長線上に内側開口５１が自然に配置されることとなる。内視鏡１００においては、観察光学系１０５の視野を確保する観点から処置具出口部１０８と観察光学系１０５とは先端部１１０において反対側に配置されることが一般的なためである。これにより、洗浄ノズル１０７から観察光学系１０５に向けて噴射された洗浄水が排液孔６０から好適に排出される。
【００８５】
フード本体部５０は、装着部４０の軸心ＡＸ１に対して平行な直線稜線部１１４と、直線稜線部１１４の対向位置にあって軸心ＡＸ１に対して傾斜した傾斜稜線部１１６と、を含んでいる。フード本体部５０は先細に形成されている。
排液孔６０は、境界部２５のうち傾斜稜線部１１６の側に形成されている。排液孔６０から排出された液体は、傾斜稜線部１１６を伝って傾斜方向に排出され易い。
直線稜線部１１４と傾斜稜線部１１６とが対向位置にあるとは、両者が軸心ＡＸ２を間に挟んで互いに反対側に位置していることをいう。
【００８６】
外側開口５２は、例えば、周方向における開口幅５３が先端開口３０の側から基端開口２０の側に向けて増大する幅拡大領域５４を有している。
排液孔６０から排出された液体が、先端方向に流れると、再度、先端開口３０からフード１０の内部に流入する可能性がある。これに対し、かかる外側開口５２の形状によれば、フード１０の内部から排液孔６０を介して外部に排出された液体の流れ方向を、基端方向に誘導し易い。
なお、内側開口５１も、同様の幅拡大領域５４を有している。
【００８７】
外側開口５２における幅拡大領域５４の開口幅５３は、先基端方向において、外側開口５２の先端から基端に向けて連続的に増大している。
たとえば図１に示すように、幅拡大領域５４は先端側に向けて狭まるＶ字状に形成されている。これにより、排液孔６０を流れる液体の毛管現象を誘引し、フード１０の内部からフード１０の外部に液体を排出させ易い。
【００８８】
図１に示すように、幅拡大領域５４における基端側の部分が、内視鏡１００の周面１１２により塞がれている。これにより、内側開口５１から外側開口５２に向かって流れる液体は、周面１１２に沿って開口幅５３の拡大する方向に導かれ易い。
【００８９】
外側開口５２は、更に、フード１０の周方向における開口幅５３が先基端方向の中間から基端まで縮小する幅縮小領域５５を有している。
たとえば、図１に示すように、幅縮小領域５５は基端側に向けて狭まるＶ字状に形成されている。ただし、幅縮小領域５５は、基端側に向けて狭まる複数のＶ字状の形状部分を有する形状（例えば、Ｗ字状の形状など）に形成されていても良い。
なお、内側開口５１も、同様の幅縮小領域５５を有している。
【００９０】
外側開口５２における幅縮小領域５５の開口幅５３は、先端から基端に向けて連続的に縮小している。
このような形状の幅縮小領域５５を有する外側開口５２によれば、排出される液体を開口幅５３が縮小する方向に集約することが可能である。集約された液体は、これに続いて排液孔６０から排出される液体に押され、外側開口５２からフード１０の外部に排出されやすい。
【００９１】
例えば、幅拡大領域５４と幅縮小領域５５とは、先基端方向において相互に隣接している。ただし、先基端方向において、幅拡大領域５４と幅縮小領域５５との間に実質的に開口幅５３が変化しない領域等が介在していても良い。
【００９２】
本発明は上述の実施形態に限定されるものではなく、本発明の目的が達成される限りにおける種々の変形、改良等の態様も含む。各実施形態において説明された事項は適宜、他の実施形態に適用することが可能である。
【００９３】
本発明の内視鏡用フード１０の構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００９４】
上記実施形態は、以下の技術思想を包含するものである。
（１）内視鏡の先端部に装着される筒状の装着部と、前記装着部の先端側に連接された筒状のフード本体部と、を有する内視鏡用フードであって、当該内視鏡用フードの表面に微細な凹凸が形成されている内視鏡用フード。
（２）前記微細な凹凸における凸部どうしの間隔周期または凹部どうしの間隔周期は１０ｎｍ以上１０５ｎｍ以下である上記（１）に記載の内視鏡用フード。
（３）前記微細な凹凸における凸部どうしの前記間隔周期または凹部どうしの前記間隔周期は２０００ｎｍ以下である上記（２）に記載の内視鏡用フード。
（４）当該内視鏡用フードの内周面には、前記装着部に挿入された前記内視鏡の先端が突き当たる段差であるストッパ部が形成され、前記フード本体部の内周面における前記ストッパ部よりも先端側に、前記微細な凹凸が形成されている上記（１）から（３）のいずれか一項に記載の内視鏡用フード。
（５）前記フード本体部の内周面において前記微細な凹凸が形成された範囲が前記フード本体部の先端まで達している上記（４）に記載の内視鏡用フード。
（６）当該内視鏡用フードの表面の少なくとも一部分には親水性処理が施されており、当該親水性処理が施されている当該内視鏡用フードの表面に前記微細な凹凸が形成されている上記（１）から（５）のいずれか一項に記載の内視鏡用フード。
（７）当該内視鏡用フードの表面の少なくとも一部分には撥水性処理が施されており、当該撥水性処理が施されている当該内視鏡用フードの表面に前記微細な凹凸が形成されている上記（１）から（５）のいずれか一項に記載の内視鏡用フード。
（８）当該内視鏡用フードの表面の少なくとも一部分には親油性処理が施されており、当該親油性処理が施されている当該内視鏡用フードの表面に前記微細な凹凸が形成されている上記（１）から（５）のいずれか一項に記載の内視鏡用フード。
（９）当該内視鏡用フードには、当該内視鏡用フードを厚さ方向に貫通する排液孔が形成され、前記フード本体部の内周面および前記排液孔の内周壁面に前記微細な凹凸が形成されている上記（１）から（８）のいずれか一項に記載の内視鏡用フード。
（１０）当該内視鏡用フードの外周面または内周面には、前記排液孔に繋がっている排液溝が形成され、前記排液溝の内面に前記微細な凹凸が更に形成されている上記（９）に記載の内視鏡用フード。
（１１）当該内視鏡用フードの外周面は、前記微細な凹凸よりも平滑に形成されている上記（１）から（１０）のいずれか一項に記載の内視鏡用フード。
（１２）前記微細な凹凸における凸部は先細形状に形成されている上記（１）から（１１）のいずれか一項に記載の内視鏡用フード。
（１３）上記（１）から（１２）のいずれか一項に記載の内視鏡用フードと、前記内視鏡と、を備えるフード付き内視鏡。
【符号の説明】
【００９５】
１０・・・内視鏡用フード
２０・・・基端開口
２４・・・ストッパ部
２４ａ・・・当接面
２５・・・境界部
２６・・・スロープ部
３０・・・先端開口
３０ａ・・・傾斜開口
３０ｂ・・・垂直開口
３１・・・内周面
３１ａ・・・内周面
３２・・・外周面
４０・・・装着部
５０・・・フード本体部
５１・・・内側開口
５２・・・外側開口
５３・・・開口幅
５４・・・幅拡大領域
５５・・・幅縮小領域
６０・・・排液孔
６１・・・内周壁面
７０・・・排液溝
７０ａ・・・第一排液溝
７０ｂ・・・第二排液溝
８１・・・凸部
８２・・・凹部
８３・・・液滴
９０・・・凹凸構造
１００・・・内視鏡
１０５・・・観察光学系
１０６・・・照明光学系
１０７・・・洗浄ノズル
１０８・・・処置具出口部
１０９・・・噴射孔
１１０・・・先端部
１１２・・・周面
１１４・・・直線稜線部
１１６・・・傾斜稜線部
１２０・・・鉗子孔
２００・・・フード付き内視鏡
ＡＸ１・・・軸心
ＡＸ２・・・軸心
ｈ・・・高さ
ｓ・・・間隔周期
ＴＳ・・・粘膜組織
Ｖ・・・内部空間
【図１】
2016187535.tif 000003
【図２】
2016187535.tif 000004
【図３】
2016187535.tif 000005
【図４】
2016187535.tif 000006
【図５】
2016187535.tif 000007
【図６】
2016187535.tif 000008